(57)【要約】【課題】利便性を向上させた口腔洗浄装置を提供する。【解決手段】口腔洗浄装置は、ノズル３０を有し、ノズル３０は、洗浄液を吐出する開口部３３と、開口部３３を囲む開口外周部３４とを有し、開口外周部３４は、長手方向ＤＬと短手方向ＤＳとを有し、開口部３３は、長手方向ＤＬにおける長手寸法ＳＬと、短手方向ＤＳにおける短手寸法ＳＳとを有し、長手寸法ＳＬは、開口外周部３４の一方の端側から他方の端側に渡って存在している。【選択図】図２
2015002857.tif 000002
【特許請求の範囲】
【請求項１】
口腔洗浄装置であって、
前記口腔洗浄装置は、ノズルを有し、
前記ノズルは、洗浄液を吐出する開口部と、前記開口部を囲む開口外周部とを有し、
前記開口外周部は、長手方向と短手方向とを有し、
前記開口部は、前記長手方向における長手寸法と、前記短手方向における短手寸法とを有し、
前記長手寸法は、前記開口外周部の一方の端側から他方の端側に渡って存在している
口腔洗浄装置。
【請求項２】
前記開口部は、前記長手方向の位置に応じて前記短手寸法が異なる
請求項１に記載の口腔洗浄装置。
【請求項３】
前記ノズルは、前記短手方向における前記洗浄液の吐出寸法を変更する変更部と、外部からの操作に応じて前記変更部を動かす操作部とを有する
請求項１または２に記載の口腔洗浄装置。
【請求項４】
前記ノズルは、前記長手方向において前記開口部を区画する隔壁を有する
請求項１〜３のいずれか一項に記載の口腔洗浄装置。
【請求項５】
前記開口外周部の端面は、凹凸部を有する
請求項１〜４のいずれか一項に記載の口腔洗浄装置。
【発明の詳細な説明】
【技術分野】
【０００１】
本発明は、口腔洗浄装置に関する。
【背景技術】
【０００２】
洗浄液を用いて舌を洗浄する舌洗浄装置が提案されている。特許文献１は、舌洗浄装置を開示している。図２１および図２２は、特許文献１に開示された舌洗浄装置１００を示している。
【０００３】
舌洗浄装置１００は、ヘッド部１０１と、ヘッド部１０１に連結された管路部１０２とを有する。ヘッド部１０１は、管路部１０２に続くベース部１０３と、ベース部１０３から分枝した複数の固定フィンガー１０４とを有する。固定フィンガー１０４は、円筒状の突起であり、先端に開口１０５を有する。
【０００４】
舌洗浄装置１００は、管路部１０２、ベース部１０３および固定フィンガー１０４の内部を貫通して洗浄液を通過させる通液路１０６を有する。ヘッド部１０１に供給された洗浄液は、ベース部１０３において固定フィンガー１０４に分流し、開口１０５から舌に向けて吐出される。
【先行技術文献】
【特許文献】
【０００５】
【特許文献１】米国特許第６０８９８６５号明細書
【発明の概要】
【発明が解決しようとする課題】
【０００６】
しかし、ベース部１０３から固定フィンガー１０４へ分流された洗浄液は、分離した開口１０５から舌に対して局部的に吐出される。したがって、舌洗浄装置１００は、舌の広い範囲に対して洗浄液の途切れが生じやすく分布むらを生じやすい。
【０００７】
つまり、舌洗浄装置１００は、開口１０５に対応する領域へ洗浄液を局部的に分散させて吐出する。このため、舌洗浄装置１００は、開口１０５が配置されていない範囲に対して洗浄液を当てにくい。なお、ここでは、舌洗浄装置１００を例示して舌に対する洗浄における課題について言及したが、口腔内の舌以外の器官に対する洗浄においても同様の課題がある。
【０００８】
本発明は、以上の背景をもとに創作されたものであり、利便性を向上させた口腔洗浄装置を提供することを目的とする。
【課題を解決するための手段】
【０００９】
本口腔洗浄装置は、ノズルを有し、前記ノズルは、洗浄液を吐出する開口部と、前記開口部を囲む開口外周部とを有し、前記開口外周部は、長手方向と短手方向とを有し、前記開口部は、前記長手方向における長手寸法と、前記短手方向における短手寸法とを有し、前記長手寸法は、前記開口外周部の一方の端側から他方の端側に渡って存在している。
【００１０】
本口腔洗浄装置のノズルは、開口外周部の一方の端側から他方の端側に渡って存在する長手寸法に応じて洗浄液を吐出することができる。したがって、長手寸法の範囲内において洗浄液が局部的に吐出されることを防止できる。このため、本口腔洗浄装置は、長手寸法に応じた範囲内において、洗浄液が局部的に分布することを回避できる。
【００１１】
つまり、本口腔洗浄装置は、分布むらを抑制した洗浄液を吐出することができる。したがって、本口腔洗浄装置は、長手寸法に対応する被洗浄対象の範囲に洗浄液を隙間なく注ぐことができる。このため、本口腔洗浄装置は、被洗浄対象の広い範囲の汚れを取り除くことができる。
【発明の効果】
【００１２】
本口腔洗浄装置は、利便性を向上することができる。
【図面の簡単な説明】
【００１３】
【図１】第１実施形態の口腔洗浄装置の部分断面図。
【図２】第１実施形態のノズルの斜視図。
【図３】第１実施形態のノズルの図２の矢印線Ａ３−Ａ３における断面図。
【図４】第２実施形態のノズルの斜視図。
【図５】第２実施形態のノズルの正面図。
【図６】第２実施形態のノズルの図４の矢印線Ａ６−Ａ６における断面図。
【図７】第３実施形態のノズルの斜視図。
【図８】第３実施形態のノズルの図７の矢印線Ａ８−Ａ８における断面図。
【図９】第３実施形態のノズルの変更部の動作状態を示す模式断面図。
【図１０】第３実施形態のノズルの変更部が寸法保持部において位置決めされたときの状態を示す模式断面図。
【図１１】第４実施形態の変更部が寸法保持部に対向しない位置にあるときの状態を示す模式断面図。
【図１２】第４実施形態の変更部が寸法保持部において保持されたときの状態を示す模式断面図。
【図１３】第５実施形態のノズルの斜視図。
【図１４】第５実施形態のノズルの図１３の矢印線Ａ１４−Ａ１４における断面図。
【図１５】第５実施形態のノズルの変更部の細部を示す模式断面図。
【図１６】第６実施形態のノズルの斜視図。
【図１７】第６実施形態のノズルの図１６の矢印線Ａ１７−Ａ１７における断面図。
【図１８】第７実施形態のノズルの斜視図。
【図１９】第７実施形態のノズルの図１８の矢印線Ａ１９−Ａ１９における断面図。
【図２０】第７実施形態のノズルの平面図。
【図２１】従来の舌洗浄装置の一例の斜視図。
【図２２】従来の舌洗浄装置の一例の側面図。
【発明を実施するための形態】
【００１４】
本口腔洗浄装置において、前記開口部は、前記長手方向の位置に応じて前記短手寸法が異なることが好ましい。
本口腔洗浄装置において、前記ノズルは、前記短手方向における前記洗浄液の吐出寸法を変更する変更部と、外部からの操作に応じて前記変更部を動かす操作部とを有することが好ましい。
【００１５】
本口腔洗浄装置において、前記ノズルは、前記長手方向において前記開口部を区画する隔壁を有することが好ましい。
本口腔洗浄装置において、前記開口外周部の端面は、凹凸部を有することが好ましい。
【００１６】
（第１実施形態）
図１から図３までを参照して第１実施形態の口腔洗浄装置１について説明する。
第１実施形態の口腔洗浄装置１は、図１に示される構造を有する。
【００１７】
口腔洗浄装置１は、洗浄液ＷＬを蓄える貯液槽１０と、貯液槽１０から洗浄液ＷＬを吸い上げる供給部２０とを有する。口腔洗浄装置１は、供給部２０から洗浄液ＷＬが注入されるノズル３０を有する。
【００１８】
貯液槽１０は、外部から洗浄液ＷＬが補給される補給口１１を有する。貯液槽１０には、供給部２０に接続された吸液管１２が配置されている。吸液管１２は、貯液槽１０の底面の近くに配置された吸液口１３を有する。
【００１９】
供給部２０は、貯液槽１０に蓄えられた洗浄液ＷＬをノズル３０に供給するポンプ２１を有する。ポンプ２１は、貯液槽１０の側に吸液管１２が接続され、ノズル３０の側に供給管２２が接続されている。
【００２０】
供給部２０は、電源２３と、電源２３からの電力を変換する電源回路２４と、電源回路２４からの電力に基づいてポンプ２１を駆動する駆動回路２５とを有する。供給部２０は、駆動回路２５のオンオフ動作を制御するスイッチ２６を有する。
【００２１】
ノズル３０は、注入管３１に連結されている。注入管３１は、先端に接続継手３２を有する。ノズル３０は、注入管３１および接続継手３２を介して供給管２２へ接続されている。ノズル３０は、洗浄液ＷＬを吐出する開口部３３を有する。
【００２２】
スイッチ２６がスライド操作によってオン位置に移動され、駆動回路２５がオン動作とされたとき、ポンプ２１は動作する。スイッチ２６がスライド操作によってオフ位置に移動され、駆動回路２５がオフ動作とされたとき、ポンプ２１は停止する。
【００２３】
ポンプ２１が動作すると、貯液槽１０に蓄えられた洗浄液ＷＬは、吸液口１３および吸液管１２を介して供給管２２へ輸送される。供給管２２に輸送された洗浄液ＷＬは、接続継手３２および注入管３１を介してノズル３０に供給され、開口部３３から被洗浄対象へ向けて吐出される。
【００２４】
図２に示すように、ノズル３０は、洗浄液ＷＬを吐出する開口部３３と、開口部３３を囲む開口外周部３４とを有する。開口外周部３４は、長手方向ＤＬと短手方向ＤＳとを有する。開口外周部３４は、開口部３３を内包している。
【００２５】
開口部３３は、長手方向ＤＬにおける長手寸法ＳＬと、短手方向ＤＳにおける短手寸法ＳＳとを有する。長手寸法ＳＬは、開口外周部３４の一方の端側から他方の端側に渡って存在している。
【００２６】
ノズル３０は、相互に対向して配置された第１主面部３５および第２主面部３６を有する。第１主面部３５および第２主面部３６は、平面視でほぼ矩形の平板状とされ、短手方向ＤＳに厚みを有する。
【００２７】
第１主面部３５と第２主面部３６との間には第１主面部３５と第２主面部３６とを端部において連結する側面部３７が配置されている。側面部３７は、第１主面部３５および第２主面部３６が有する矩形の４方向の内の３方向に配置され、側面部３７が配置されていない方向が開口部３３とされている。
【００２８】
第１主面部３５の内壁３５Ｗ、第２主面部３６の内壁３６Ｗ、および側面部３７の内壁３７Ｗの外部に開放された終端が開口部３３に対応している。第１主面部３５、第２主面部３６、および側面部３７は、洗浄液ＷＬを通過させる筐体を構成している。
【００２９】
短手寸法ＳＳは、開口部３３を形成する第１主面部３５の内壁３５Ｗと第２主面部３６の内壁３６Ｗとの間の距離によって定まる。長手寸法ＳＬは、開口部３３を形成する２つの側面部３７の内壁３７Ｗの相互間の距離によって定まる。
【００３０】
開口外周部３４は、第１主面部３５、第２主面部３６、および対向する２つの側面部３７の終端によって開口部３３を囲む形状に形成されている。
ノズル３０、開口部３３および開口外周部３４の大きさおよび形状は、口腔内の被洗浄部分の大きさに応じた形態とされている。つまり、長手寸法ＳＬ、短手寸法ＳＳ、およびノズル３０の外形寸法は、例えば、人間の口腔内への挿入が可能で、舌の寸法に合致させた大きさおよび形状とされる。
【００３１】
口腔洗浄装置１およびノズル３０は、例えば人の舌に対応する寸法とすることによって、人の舌に対する専用の口腔洗浄装置およびノズルとして使用される。
具体的な寸法として、長手寸法ＳＬは、例えば約２０〜６０ｍｍ程度の数値であることが好ましい。例えば小児用のノズル３０は、小さい数値の寸法が適用され、大人用のノズル３０は、大きな数値の寸法が適用される。より適した寸法として、被洗浄部分の広さに応じた寸法が適用される。短手寸法ＳＳは、吐出量、吐出速度、被洗浄部分への圧力などを考慮して、例えば０．１ｍｍ〜０．５ｍｍ程度とすることが好ましい。
【００３２】
図３に示すように、注入管３１は、第２主面部３６と交差する方向で第２主面部３６に連結されている。注入管３１は、第２主面部３６とは反対側の先端に接続継手３２を有する。
【００３３】
第１主面部３５の内壁３５Ｗ、第２主面部３６の内壁３６Ｗ、および側面部３７の内壁３７Ｗは、ノズル３０の内部における空間を構成し、注入管３１から注入された洗浄液ＷＬを開口部３３に向けて通過させる。
【００３４】
洗浄液ＷＬは、例えば、水（純水、水道水、イオン水等）、洗浄剤あるいはアルコール等を含有する水、空気などの気体あるいは微粒子などの固体を含有する液体等が適用される。また、必要に応じて、液体ではなく気体が適用されることもありうる。
【００３５】
ノズル３０は、開口外周部３４の一方の端側から他方の端側に渡って存在する長手寸法ＳＬに応じて洗浄液ＷＬを吐出することができる。ノズル３０は、長手寸法ＳＬの範囲内において洗浄液ＷＬが局部的に吐出されることを防止できる。口腔洗浄装置１は、長手寸法ＳＬに対応する範囲において、洗浄液ＷＬが局部的に分布することを回避できる。
【００３６】
ノズル３０は、注入管３１から供給された洗浄液ＷＬの移動方向を変更させ、ノズル３０の内部の空間へ洗浄液ＷＬを満たす。このため、ノズル３０は、開口部３３の長手寸法ＳＬに応じた幅広い範囲で洗浄液ＷＬを安定して吐出することができる。ノズル３０は、長手寸法ＳＬと、長手寸法ＳＬに比べて短い短手寸法ＳＳとによって吐出範囲が画定される開口部３３から洗浄液ＷＬを吐出する。
【００３７】
注入管３１は、接続継手３２を有することから、供給管２２へ容易に連結される。このため、貯液槽１０から離れた場所でも供給管２２を延長することによって、容易に使用が可能となる。
【００３８】
開口部３３を囲む開口外周部３４は、第１主面部３５、第２主面部３６、および側面部３７の終端によって形成されている。したがって、開口部３３の機械的強度は、第１主面部３５、第２主面部３６、および側面部３７によって確保されている。
【００３９】
ノズル３０は、一般的な樹脂成形方法によって成形される。樹脂成形方法としては、ブロー成形などがある。適用できる合成樹脂は、人体（特に口腔）に対して安全性があること、食品衛生法などにおいて安全性が確認されていること、洗浄液ＷＬへの耐性があること、機械的強度があることなどを満たすことが求められる。
【００４０】
樹脂成形方法に適用される具体的な合成樹脂として、例えば、ポリプロピレン、ユリア樹脂などの熱硬化性を有するものがある。
また、ノズル３０の材料として、合成樹脂以外に金属（例えばステンレススチール）が適用される。ステンレススチールは、人体（特に口腔）への安全性、洗浄液ＷＬへの耐性、強度などを容易に確保しやすい。
【００４１】
第１実施形態の口腔洗浄装置１は、以下の作用効果を奏する。
（１）口腔洗浄装置１は、分布むらを抑制した洗浄液ＷＬを吐出できる。したがって、口腔洗浄装置１は、長手寸法ＳＬに対応する被洗浄対象の範囲に洗浄液ＷＬを隙間なく注ぐことができる。このため、口腔洗浄装置１は、被洗浄対象の広い範囲の汚れを取り除くことができる。つまり、口腔洗浄装置１は、利便性を向上させることができる。
【００４２】
（２）口腔洗浄装置１は、洗浄液ＷＬの分布むらを抑制して広い範囲の汚れを除くことができる。このため、口腔洗浄装置１は、吐出回数を減らしたり、あるいは吐出時間を短くしたりすることができる。つまり、口腔洗浄装置１は、少ない回数あるいは短時間で効率よく被洗浄対象を洗浄できることから、利便性が向上する。
【００４３】
（３）ノズル３０は、長手寸法ＳＬに比べて短手寸法ＳＳを小さくできる。したがって、広い範囲で洗浄するときでも、洗浄液ＷＬの吐出速度を大きくして取り除ける汚れの量を増やすことができる。このため、口腔洗浄装置１は、洗浄性を高めて効率よく洗浄できる。
【００４４】
（４）洗浄液ＷＬによる洗浄は、被洗浄対象に対して口腔洗浄装置１を直接当てずに洗浄できる。このため、口腔洗浄装置１によれば、被洗浄対象の傷の発生を抑制することができる。
【００４５】
（５）開口部３３の長手寸法ＳＬは、開口外周部３４の長手方向ＤＬにおいて開口外周部３４の一端側から他端側に渡って存在している。したがって、ノズル３０において、開口外周部３４は、開口部３３を画定する外周形状することができる。
【００４６】
このため、開口外周部３４の大きさは、開口部３３の大きさに対応させることができる。したがって、開口部３３として十分な長手寸法ＳＬを持たせた状態でも、長手方向ＤＬにおける開口外周部３４の外形を抑制することができる。
【００４７】
このため、開口外周部３４の外形、つまりノズル３０の外形は、小型化される。したがって、ノズル３０は、必要な洗浄性を確保した状態において、被洗浄対象への適用が容易な小型の外形を有することができる。
【００４８】
（６）口腔洗浄装置１は、被洗浄対象および被洗浄部分を舌に限る必要はない。他の器官に対しても適用が可能である。
（７）開口外周部３４は、長手寸法ＳＬおよび短手寸法ＳＳを有することから、正面形状が細長い。したがって、ノズル３０の外形は、扁平状とすることができるので、口腔内への挿入が容易となる。
【００４９】
（第２実施形態）
図４から図６までを参照して第２実施形態のノズル４０について説明する。なお、ノズル４０は、第１実施形態の口腔洗浄装置１が有するノズル３０を変形した形態を有する。したがって、以下では、ノズル３０と重複する説明は簡略化し、主に異なる事項について説明する。
【００５０】
図４に示すように、ノズル４０は、開口部３３および開口外周部３４を有する。ノズル４０は、第１主面部３５、第２主面部３６、および側面部３７を有する。
開口部３３は、長手方向ＤＬの位置に応じて短手寸法ＳＳが異なっている。開口部３３における長手方向ＤＬの中央の中央領域４１では、短手寸法ＳＳは短い。中央領域４１の左右に配置された外側領域４２では、短手寸法ＳＳは長い。
【００５１】
図５に示すように、ノズル４０の中央領域４１における短手寸法ＳＳは、外側領域４２における短手寸法ＳＳより短い。中央領域４１の左右に対称的に配置された外側領域４２における短手寸法ＳＳは、中央領域４１における短手寸法ＳＳより長い。
【００５２】
図６に示すように、中央領域４１においては、内壁３５Ｗと内壁３６Ｗとの間の距離が小さくされている。中央領域４１においては、第１主面部３５の内壁３５Ｗおよび第２主面部３６の内壁３６Ｗによって狭くされた空間から洗浄液ＷＬが吐出される。
【００５３】
開口部３３は、長手方向ＤＬにおいて、短手寸法ＳＳが長い外側領域４２と、短手寸法ＳＳが短い中央領域４１とを有する。このため、外側領域４２では、洗浄液ＷＬの圧力損失が小さくなり、中央領域４１では、洗浄液ＷＬの圧力損失が大きくなる。したがって、ノズル４０は、圧力損失の大きい中央領域４１から圧力損失の小さい外側領域４２に対して洗浄液ＷＬを補充することが可能となる。
【００５４】
第２実施形態の口腔洗浄装置１およびノズル４０は、第１実施形態の口腔洗浄装置１およびノズル３０が奏する効果（１）〜（７）に加えて、以下の作用および効果を奏する。
（８）ノズル４０は、圧力損失の小さい外側領域４２に対しても洗浄液ＷＬを十分に供給することが可能となる。したがって、口腔洗浄装置１は、長手方向ＤＬで満遍なく洗浄液ＷＬを分布させて吐出することができる。
【００５５】
口腔洗浄装置１は、長手方向ＤＬの広い範囲において洗浄液ＷＬの分布むらを抑制することができ、長手方向ＤＬの広い範囲に渡る洗浄力を均一化して効率よく洗浄することができる。
【００５６】
（９）ノズル４０は、短手寸法ＳＳが長い外側領域４２では洗浄液ＷＬの吐出速度が遅くなり、短手寸法ＳＳが短い中央領域４１では吐出速度が速くなる。したがって、短手寸法ＳＳが長い領域においては、被洗浄対象へ与える刺激を抑制し、短手寸法ＳＳが短い領域においては、洗浄力を向上させることができる。
【００５７】
口腔洗浄装置１は、長手方向ＤＬにおける短手寸法ＳＳに応じて洗浄液ＷＬの吐出状態を異ならせることができる。このため、口腔洗浄装置１は、長手方向ＤＬにおいて被洗浄対象の状況に対応させた洗浄液ＷＬの吐出が可能となる。
【００５８】
（第３実施形態）
図７から図１０までを参照して第３実施形態のノズル５０について説明する。なお、ノズル５０は、第１実施形態のノズル３０を変形した形態を有する。したがって、以下では、ノズル３０と重複する説明は簡略化し、主に異なる事項について説明する。
【００５９】
図７に示すように、ノズル５０は、短手方向ＤＳにおける洗浄液ＷＬの吐出寸法ＳＰを変更する変更部５１と、外部からの操作に応じて変更部５１を動かす操作部５２とを有する。
【００６０】
吐出寸法ＳＰは、短手方向ＤＳにおける洗浄液ＷＬの吐出範囲を画定する内壁３６Ｗと変更部７１との間の間隔で定まる。つまり、吐出寸法ＳＰは、短手寸法ＳＳの範囲内において変更される。
【００６１】
変更部５１は、内壁３５Ｗおよび内壁３６Ｗの間に配置されている。変更部５１は、内壁３５Ｗおよび内壁３６Ｗに平行に配置され、短手方向ＤＳにおける平行移動が可能なように配置されている。
【００６２】
変更部５１は、内壁３７Ｗに対して水密性と滑り性とを有している。つまり、変更部５１は、内壁３７Ｗに対して水密に接触した状態で滑らかな移動ができる形態とされている。変更部５１は、洗浄液ＷＬの圧力に抗して外形を維持する剛性を有する。
【００６３】
操作部５２は、変更部５１に連結された連結部５３を有する。連結部５３は、操作部５２から伸びて第１主面部３５を貫通する連結穴５４に嵌め込まれている。連結部５３は、連結穴５４に対して密に接触した状態で滑りながら第１主面部３５と交差する方向において相対移動するスライド式とされている。
【００６４】
内壁３７Ｗは、位置を変更された変更部５１が洗浄液ＷＬの圧力によって簡単に移動することを制限して吐出寸法ＳＰを保持する寸法保持部５５を有する。寸法保持部５５は、対向する２つの内壁３７Ｗに対称に配置されている。内壁３７Ｗには、寸法下限部５６が配置されている。寸法下限部５６は、変更部５１が第２主面部３６の側へ移動することを停止する。
【００６５】
図８に示すように、変更部５１は、平板状とされている。寸法下限部５６は、内壁３６Ｗに接して配置されている。つまり、寸法下限部５６は、内壁３６Ｗおよび内壁３７Ｗの双方に結合して配置されている。
【００６６】
開口部３３における変更部５１と内壁３６Ｗとの間の間隔によって吐出寸法ＳＰが画定される。変更部５１は、ノズル５０の内部に吐出寸法ＳＰを有する空間を確保する。このため、ノズル５０は、所望の吐出状態を確保することができる。
【００６７】
変更部５１は、ノズル５０の内部の空間において吐出寸法ＳＰを保持している。このため、変更部５１は、洗浄液ＷＬの流れを安定化させることができる。
寸法下限部５６は、変更部５１の移動を確実に停止するため、２つの内壁３７Ｗのそれぞれに沿って配置されている。寸法下限部５６は、内壁３７Ｗの奥行き方向に複数個配置されている。
【００６８】
図９に示すように、操作部５２が移動方向ＤＭへ操作されると、変更部５１も同様に移動方向ＤＭへ移動する。内壁３７Ｗに配置された寸法保持部５５は、弾性を有している。変更部５１の内壁３７Ｗに対向する部分は弾性を有している。
【００６９】
したがって、変更部５１が第２主面部３６の側へ押し込まれ、寸法保持部５５と交差する位置に到達すると、変更部５１の端部および寸法保持部５５がそれぞれ撓んで変形する。変形の結果、変更部５１は、寸法保持部５５を乗り越えることができる。
【００７０】
寸法保持部５５は、例えば先端が鋭角に突出した三角形の突起である。変更部５１が第１主面部３５の側から第２主面部３６の側へ移動して寸法保持部５５を越えるとき、変更部５１および寸法保持部５５は、変形する。したがって、変更部５１は、移動できる。
【００７１】
変更部５１の弾性は、内壁３７Ｗに向き合う外周部分にのみあればよい。また、変更部５１および寸法保持部５５の両方に弾性を持たせることによって、変更部５１の移動が容易となる。
【００７２】
図１０に示すように、変更部５１は、寸法保持部５５を通り越した位置において吐出寸法ＳＰを画定する。寸法保持部５５は、吐出寸法ＳＰに応じて予め設定された位置に配置されている。
【００７３】
寸法保持部５５は、内壁３６Ｗの方へ移動した変更部５１の位置を第１主面部３５の側で固定する。このため、変更部５１の位置は、洗浄液ＷＬの圧力によって変動しない。
変更部５１は、第１主面部３５に対向する面が寸法保持部５５で保持される位置に移動されている。したがって、変更部５１は、吐出寸法ＳＰを洗浄液ＷＬの圧力に抗して保持することができる。
【００７４】
寸法下限部５６は、吐出寸法ＳＰが下限値ＳＰＳより短くなる位置へ変更部５１が移動することを停止する。このため、変更部５１は、下限値ＳＰＳより短い吐出寸法ＳＰを生じることはない。寸法下限部５６は、例えば、内壁３７Ｗおよび内壁３６Ｗの双方に結合された立方体とされている。
【００７５】
変更部５１は、洗浄液ＷＬの圧力に対する強度を有し、ノズル５０の内部の空間における洗浄液ＷＬの圧力を維持する。ノズル５０は、吐出寸法ＳＰを有する洗浄液ＷＬを正確に吐出することができる。
【００７６】
操作部５２が第１主面部３５に向けて押されると、連結部５３は第１主面部３５に押し込まれる。また、操作部５２が第１主面部３５から引き戻されると、連結部５３は第１主面部３５から引き出される。
【００７７】
連結部５３が第１主面部３５から内側へ向けて進む場合は、連結部５３の先端に連結された変更部５１は、吐出寸法ＳＰを小さくする。連結部５３が第１主面から外側へ戻る場合は、変更部５１は、吐出寸法ＳＰを大きくする。
【００７８】
連結部５３は、第１主面部３５に対して外側から内側へ進むこと、あるいは内側から外側へ戻ることができる。このため、操作部５２の操作に応じた位置で連結部５３を停止させて変更部５１の位置を変更することができる。
【００７９】
連結部５３は、変更部５１と操作部５２との間に断面矩形の棒状体として配置されている。このため、操作部５２としての強度および円滑な移動性を確保することができ、操作部５２に対する操作を変更部５１の移動に効率よく変換することができる。
【００８０】
短手方向ＤＳにおける操作部５２の直線運動は、連結部５３を介して変更部５１へそのまま直線運動として伝達される。操作部５２に対する外部からの操作は、短手方向ＤＳにおける変更部５１の位置を変更する。
【００８１】
操作部５２に対する操作は、変更部５１が画定する吐出寸法ＳＰを直接的に変更する。したがって、外部からの操作部５２に対する操作によって、吐出寸法ＳＰを変更することができる。
【００８２】
吐出寸法ＳＰが小さくされたとき、洗浄液ＷＬの吐出面積が以前の状態に比べて小さくなることから洗浄液ＷＬの吐出速度は速くなる。このため、被洗浄部分に加わる洗浄液ＷＬの圧力が増加する。つまり、口腔洗浄装置１は、洗浄力が向上し、より迅速かつ確実に汚れを除くことができる。
【００８３】
吐出寸法ＳＰが小さくされたとき、口腔洗浄装置１は、除去できる汚れの量を多くできる。口腔洗浄装置１は、洗浄液ＷＬを吐出する時間を抑制することができるので、効率よく洗浄することができる。
【００８４】
洗浄液ＷＬの吐出速度が速いとき、舌の表面にある突起の奥部まで洗浄液ＷＬを及ぼすことができる。したがって、舌の表面にある突起の影響を除いて、突起の間の奥部に生じた汚れを洗浄液ＷＬの圧力によって効率よく取り除くことができる。
【００８５】
吐出寸法ＳＰが大きくされたとき、洗浄液ＷＬの吐出面積が以前の状態に比べて大きくなることから洗浄液ＷＬの吐出速度は遅くなる。このため、被洗浄部分に加わる洗浄液ＷＬの圧力が低減する。つまり、洗浄液ＷＬによる被洗浄対象への刺激が抑制される。したがって、被洗浄対象が刺激に敏感で、刺激の少ないやわらかい洗浄が要請されるとき、口腔洗浄装置１は、被洗浄対象への刺激を抑制することができる。
【００８６】
寸法下限部５６は、変更部５１が第２主面部３６の側へ移動することを防止する。つまり、寸法下限部５６は、吐出寸法ＳＰが下限値ＳＰＳより小さくなることを防止する。このため、ノズル５０は、吐出寸法ＳＰの下限値ＳＰＳを確保することができる。
【００８７】
したがって、ノズル５０は、洗浄液ＷＬの吐出速度を下限値ＳＰＳで定まる吐出速度より遅い速度に抑えることができる。このため、口腔洗浄装置１は、被洗浄対象に対して強度の刺激が加わることを抑制できる。
【００８８】
ノズル５０は、一例として示す次の工程によって組み立てられる。
開口部３３からノズル５０の内部の空間へ変更部５１が挿入される。次に、変更部５１の連結穴５４に臨む位置へ接着剤が塗布される。その後、接着剤が塗布された変更部５１と連結部５３とが接着される。
【００８９】
第３実施形態の口腔洗浄装置１およびノズル５０は、第１実施形態の口腔洗浄装置１およびノズル３０が奏する効果（１）〜（７）に加えて、以下の作用および効果を奏する。
（１０）ノズル５０は、操作部５２の操作によって変更部５１の位置を変更することができる。ノズル５０は、吐出寸法ＳＰを変更することができる。洗浄液ＷＬの吐出速度は、吐出寸法ＳＰの変更によって変わる。口腔洗浄装置１は、洗浄液ＷＬの吐出速度を変更することができる。
【００９０】
（１１）ノズル５０は、吐出寸法ＳＰを変更できる。口腔洗浄装置１は、口腔洗浄装置１被洗浄対象の状態、刺激への感度、および被洗浄対象に必要な洗浄液ＷＬの圧力などに応じて洗浄液ＷＬの吐出速度を変更できる。
【００９１】
（１２）ノズル５０は、吐出寸法ＳＰを変更できる。したがって、口腔洗浄装置１は、洗浄液ＷＬを供給するポンプ２１の駆動状態を一定に維持したままで、開口部３３から吐出される洗浄液ＷＬの吐出速度を変更することができる。このとき、ポンプ２１の状態は維持されるので、吐出速度を上げた場合でもポンプ２１における電力消費の上昇を抑制することができる。
【００９２】
（第４実施形態）
図１１および図１２を参照して第４実施形態のノズル６０について説明する。なお、ノズル６０は、実施形態３のノズル５０の変更部５１を変形した形態を有する。したがって、以下では、ノズル５０と重複する説明は簡略化し、主に異なる事項について説明する。
【００９３】
図１１に示すように、ノズル６０は、変更部６１を有する点が変更部５１を有するノズル５０に対して異なる。ノズル６０は、変更部６１を保持する寸法保持部６６を側面部３７に有する点が寸法保持部５５を有するノズル５０に対して異なる。
【００９４】
ノズル６０は、ノズル５０と同様、第１主面部３５、内壁３５Ｗ、第２主面部３６、内壁３６Ｗ、側面部３７、内壁３７Ｗ、操作部５２、連結部５３、および連結穴５４を有する。これらの基本的な構成と機能は、ノズル５０と同様であるので説明を簡略化する。
【００９５】
ノズル６０は、短手方向ＤＳにおける洗浄液ＷＬの吐出寸法ＳＰを変更する変更部６１と、外部からの操作に応じて変更部６１を動かす操作部５２とを有する。
変更部６１は、内壁３７Ｗに対して水密性と滑り性とを有している。つまり、変更部６１は、内壁３７Ｗに対して水密に接触した状態で滑らかな移動ができる形態とされている。変更部６１は、洗浄液ＷＬの圧力に抗して外形を維持する剛性を有する。
【００９６】
変更部６１は、内壁３７Ｗに接する端部に凹状に形成された収容部６２を有する。収容部６２には、弾性突出部６３が収容されている。弾性突出部６３は、ボール部６４およびばね部６５を有する。ボール部６４は、ばね部６５に接続されている。
【００９７】
ばね部６５の一端は、収容部６２の奥底に固定されている。ばね部６５の他端は、ボール部６４に連結されている。弾性突出部６３が収容部６２に収容された状態では、ボール部６４は、収容部６２の端部で内壁３７Ｗに接している。
【００９８】
ボール部６４は、球体であり、寸法保持部６６に嵌まり込んで変更部６１を保持する強度があればよい。
寸法保持部６６は、内壁３７Ｗに形成されている。寸法保持部６６は、吐出寸法ＳＰを画定する位置に予め配置されている。寸法保持部６６は、ボール部６４が嵌る凹形状とされている。
【００９９】
変更部６１が寸法保持部６６に対応しない位置にあるときは、弾性突出部６３は収容部６２に収容されている。図１１に示す状態で、移動方向ＤＭへ移動させる操作が操作部５２に対してなされたとき、変更部６１は、例えば図１２に示す状態へ移行する。
【０１００】
図１２に示すように、移動方向ＤＭにおける連結部５３の移動によって変更部６１が移動され、収容部６２が寸法保持部６６に向き合う位置に移動すると、収容部６２からボール部６４がばね部６５の反発力によって飛び出す。
【０１０１】
収容部６２から飛び出したボール部６４は、寸法保持部６６に嵌る。ボール部６４は、ばね部６５に押されることから、洗浄液ＷＬの圧力に抗して寸法保持部６６に嵌った状態を維持する。つまり、変更部６１は、寸法保持部６６に対向する位置で保持され、吐出寸法ＳＰが変更される。
【０１０２】
変更部６１は、弾性突出部６３が寸法保持部６６に嵌め込まれた状態で保持される。弾性突出部６３は、ばね部６５を有する。変更部６１は、ばね部６５によって強固に寸法保持部６６に嵌め込まれる。
【０１０３】
ノズル６０は、短手方向ＤＳにおける吐出寸法ＳＰを変更する変更部６１と、外部からの操作に応じて変更部６１を動かす操作部５２とを有する。ノズル６０は、操作部５２の操作によって変更部６１の位置を変更することができる。ノズル６０は、吐出寸法ＳＰを変更することができる。洗浄液ＷＬの吐出速度は、吐出寸法ＳＰの変更によって変わる。このため、口腔洗浄装置１は、洗浄液ＷＬの吐出速度を変更することができる。
【０１０４】
第４実施形態の口腔洗浄装置１およびノズル６０は、第３実施形態の口腔洗浄装置１およびノズル５０が奏する効果（１０）〜（１２）に加えて、以下の作用および効果を奏する。
【０１０５】
（１３）ノズル６０は、吐出寸法ＳＰを洗浄液ＷＬの圧力に抗して強力に保持することができる。したがって、口腔洗浄装置１は、洗浄液ＷＬの吐出速度を容易に維持することができる。
【０１０６】
（１４）変更部６１は、収容部６２を有することから、一定の厚さを確保することができる。したがって、変更部６１の強度を大きくすることができる。また、ばね部６５を適用することから、寸法保持部６６における保持力を確保することができる。したがって、ノズル６０は、強度を確保することができる。このため、口腔洗浄装置１は、強度が向上する。
【０１０７】
（第５実施形態）
図１３から図１５までを参照して第５実施形態のノズル７０について説明する。なお、ノズル７０は、第３実施形態のノズル５０を変形した形態を有する。したがって、以下では、ノズル５０と重複する説明は簡略化し、主に異なる事項について説明する。
【０１０８】
図１３に示すように、ノズル７０は、連結部７３および連結穴７４を有する点が連結部５３および連結穴５４を有するノズル５０に対して異なる。つまり、連結部７３および連結穴７４は、ねじ構造を有する点でノズル５０に対して異なる。
【０１０９】
ノズル７０は、ノズル５０と同様、第１主面部３５、内壁３５Ｗ、第２主面部３６、内壁３６Ｗ、側面部３７、内壁３７Ｗを有する。これらの基本的な構成と機能は、ノズル５０と同様であるので説明を簡略化する。
【０１１０】
連結部７３は、おねじとして形成されている。連結穴７４は、連結部７３に適合するめねじとして第１主面部３５に形成されている。操作部７２は、ねじ構造に対応させて、つまみ形状を有する。
【０１１１】
ノズル７０は、短手方向ＤＳにおける洗浄液ＷＬの吐出寸法ＳＰを変更する変更部７１と、外部からの操作に応じて変更部７１を動かす操作部７２とを有する。
第１主面部３５および第２主面部３６は、上下に分かれた別々の部材として準備されることから、第１主面部３５から伸びた側面部３７および第２主面部３６から延びた側面部３７の境界に接合部７５が形成されている。
【０１１２】
図１４に示すように、ノズル７０は、外部からの操作によって回される操作部７２、操作部７２に連結された連結部７３、連結部７３が嵌め込まれた連結穴７４を有する。連結部７３および連結穴７４は、相互にかみ合う。
【０１１３】
操作部７２は、変更部７１に連結された連結部７３と連結している。第１主面部３５は、連結部７３が通る連結穴７４を有する。操作部７２の運動は、連結部７３を介して変更部７１へ伝達される。
【０１１４】
連結部７３の回転運動は、第１主面部３５と交差する方向における連結部７３の上下動に変換される。したがって、連結部７３を回転操作することによって、変更部７１を上下動させることができる。吐出寸法ＳＰは、変更部７１の上下動によって、変更される。
【０１１５】
図１５に示すように、変更部７１は、ビス７７を介して連結部７３に連結されている。変更部７１と連結部７３との間には、微小な隙間で構成された分離領域７６が形成されている。分離領域７６が配置されていることから、連結部７３の回転運動は、変更部７１に伝達されない。
【０１１６】
つまり、連結部７３の回転運動と変更部７１の直線運動とは相互の干渉が防止される。したがって、連結部７３を回転したとき、変更部７１が回転することはない。
操作部７２を回転させると、連結部７３は、連結穴７４の貫通方向において直線的に移動する。つまり、連結部７３および連結穴７４が構成するねじ構造は、操作部７２の回転運動を連結部７３の直線運動に変換する。
【０１１７】
ノズル７０は、操作部７２に対する外部からの回転操作を受けると、変更部７１を連結部７３の軸方向に上下動させる。このため、ノズル７０は、吐出寸法ＳＰを変更することができる。したがって、口腔洗浄装置１は、吐出寸法ＳＰを変更させることができる。
【０１１８】
ノズル７０は、操作部７２の回転運動を短手方向ＤＳにおける変更部７１の移動に変換することから、変更部７１を任意の位置に変更することができる。したがって、口腔洗浄装置１は、吐出寸法ＳＰを高い精度で変更することができる。
【０１１９】
ノズル７０は、変更部７１を任意の位置に変更することができるので、吐出寸法ＳＰを０ｍｍにして、洗浄液ＷＬの吐出を停止状態とすることもできる。
ノズル７０は、一例として示す次の工程によって組み立てられる。
【０１２０】
第１主面部３５および第２主面部３６がそれぞれ別個に準備される。次に、連結部７３および変更部７１が第１主面部３５に取り付けられる。その後、第１主面部３５と第２主面部３６は、超音波接着などによって接合部７５が形成され接合される。
【０１２１】
第５実施形態の口腔洗浄装置１およびノズル７０は、第３実施形態の口腔洗浄装置１およびノズル５０が奏する効果（１０）〜（１２）に加えて、以下の作用および効果を奏する。
【０１２２】
（１５）ノズル７０は、連結部７３および連結穴７４によるねじ構造を有する。このため、ノズル７０は、変更部７１の位置を高い精度で変更できる。したがって、ノズル７０は、高い精度で吐出寸法ＳＰを変更できる。口腔洗浄装置１は、高い精度で吐出寸法ＳＰを変更できる。
【０１２３】
（１６）ノズル７０は、操作部７２の回転操作によって、変更部７１の位置を高い精度で変更できる。したがって、ノズル７０は、吐出寸法ＳＰを変更するときの操作性が向上する。口腔洗浄装置１は、吐出寸法ＳＰを変更するときの操作性が向上する。
【０１２４】
（第６実施形態）
図１６および図１７を参照して第６実施形態のノズル８０について説明する。なお、ノズル８０は、第１実施形態のノズル３０を変形した形態を有する。したがって、以下では、ノズル３０と重複する説明は簡略化し、主に異なる事項について説明する。
【０１２５】
図１６に示すように、ノズル８０は、長手方向ＤＬにおいて開口部３３を区画する隔壁８１を有する。隔壁８１は、第１主面部３５と第２主面部３６との間に配置されている。隔壁８１は、長手方向ＤＬに厚さＴＤを有し、開口部３３と交差する方向に延長されている。
【０１２６】
隔壁８１は、長手方向ＤＬにおいて対称的に２個配置されている。したがって、開口部３３は、中央に区画された中央区画領域８２と、中央区画領域８２に対して外側に区画された２つの外側区画領域８３との３つの領域に区画されている。
【０１２７】
図１７に示すように、ノズル８０は、開口部３３と交差する奥行き方向に延長され、長さＬＤを有する。ノズル８０は、第２主面部３６に形成された注入管３１との連結部分と開口部３３との間の中間まで延長されている。
【０１２８】
ノズル８０は、２個の隔壁８１を有するから、中央に位置する中央区画領域８２と、中央区画領域８２の両側に位置する２つの外側区画領域８３とを有する。ノズル８０は、対称的に分布した吐出状況を実現することができる。
【０１２９】
長手方向ＤＬにおいて、中央区画領域８２の幅が外側区画領域８３の各幅より広いとき、中央区画領域８２は、外側区画領域８３に比べて洗浄液ＷＬの流量が増加する。このため、舌を洗浄するとき、舌の中央に溜まりやすい汚れを除去しやすくなる。
【０１３０】
また、上記とは逆に、中央区画領域８２の幅が各外側区画領域８３の幅より狭いとき、各外側区画領域８３は、中央区画領域８２に比べて洗浄液ＷＬの流量が増加する。このため、各外側区画領域８３に対応する範囲に幅広く洗浄液ＷＬを吐出することができる。
【０１３１】
したがって、開口部３３を長手方向ＤＬにおいて区画することによって、被洗浄対象の状況に応じた洗浄液ＷＬの吐出状況を実現することができる。このため、ノズル８０は、効率のよい洗浄を実現することができる。
【０１３２】
長さＬＤは、開口部３３から注入管３１との連結部分までの中間に向けて延長されている。このため、洗浄液ＷＬの流れを安定化させて、洗浄液ＷＬの吐出状況を安定化させることができる。
【０１３３】
開口部３３における隔壁８１の間隔が例えば同一である場合、隔壁８１の間隔が、注入管３１の側から開口部３３にかけて徐々に狭くされたときと、注入管３１の側から開口部３３にかけて徐々に広くされたときとにおいて、洗浄液ＷＬの吐出状況は異なる。
【０１３４】
注入管３１の側から開口部３３にかけて隔壁８１の間隔が狭くなる場合、洗浄液ＷＬが流れる経路の断面積は小さくなる。このため、洗浄液ＷＬの流速は速くなる。したがって、ノズル８０は、狭い区画領域の開口部３３における吐出速度を速くすることができる。
【０１３５】
注入管３１の側から開口部３３にかけて隔壁８１の間隔が広くなる場合、洗浄液ＷＬが流れる経路の断面積は大きくなる。このため、洗浄液ＷＬの流速は遅くなる。したがって、ノズル８０は、広い区画領域の開口部３３における吐出速度を遅くすることができる。
【０１３６】
ノズル８０は、注入管３１から開口部３３にかけて隔壁８１の位置を変更することによって、開口部３３における洗浄液ＷＬの吐出速度を変更することができる。つまり、口腔洗浄装置１は、隔壁８１によって、洗浄液ＷＬの吐出状況を変えることができる。ノズル８０は、隔壁８１の相互間の間隔を変更するのみで、開口部３３における洗浄液ＷＬの吐出状況を制御できることから、吐出状況を精度よく制御することができる。
【０１３７】
第６実施形態の口腔洗浄装置１およびノズル８０は、第１実施形態の口腔洗浄装置１およびノズル３０が奏する効果（１）〜（７）に加えて、以下の作用および効果を奏する。
（１７）ノズル８０は、隔壁８１によって区画された領域毎に洗浄液ＷＬの吐出速度あるいは吐出量を異ならせることができる。このため、口腔洗浄装置１は、長手方向ＤＬにおける被洗浄対象の汚れの状況に応じて洗浄液ＷＬの吐出状態を異ならせることができる。つまり、口腔洗浄装置１は、被洗浄対象の長手方向ＤＬにおける汚れの状況に対応させて洗浄性を異ならせることができる。したがって、口腔洗浄装置１は、被洗浄対象の状況に応じて洗浄することができる。
【０１３８】
（第７実施形態）
図１８から図２０までを参照して第７実施形態のノズル９０について説明する。なお、ノズル９０は、第１実施形態のノズル３０を変形した形態を有する。したがって、以下では、ノズル３０と重複する説明は簡略化し、主に異なる事項について説明する。
【０１３９】
図１８に示すように、ノズル９０は、開口部３３の周囲に配置された開口外周部３４を有する。開口外周部３４の端面９１は、凹凸部９２を有する。凹凸部９２は、ノズル９０の外側表面を基準にすれば、複数の凹部を有する状態であり、ノズル９０の内側を基準にすれば、複数の凸部を有する状態である。
【０１４０】
凹凸部９２は、長手方向ＤＬに沿う開口外周部３４の端面９１に複数の凹凸を繰り返して形成されている。したがって、短手方向ＤＳにおける開口外周部３４の両側には、長手方向ＤＬに沿って形成された凹凸部９２が配置されている。
【０１４１】
凹凸部９２を構成する各凸部は、先端が小さくなるように形成された傾斜部９３を有する。傾斜部９３は、長手方向ＤＬにおける各凸部の境界と、短手方向ＤＳにおける各凸部の外側とに形成されている。
【０１４２】
なお、凹凸部９２が有する各凸部の各稜線は、面取りされている。このため、ノズル９０は、被洗浄対象に対する接触時の柔軟性が向上し、被洗浄対象における触感を確実に向上することができる。
【０１４３】
被洗浄対象を舌とした場合、凹凸部９２における凹部と凸部の段差は、例えば２０μｍ〜２ｍｍ程度が好ましい。凹凸部９２における凹部と凸部のピッチ幅は、１００μｍ〜１．５ｍｍ程度が好ましい。
【０１４４】
図１９に示すように、凹凸部９２は、開口外周部３４を部分的に除去した凸部で形成されている。凹凸部９２は、短手方向ＤＳの開口外周部３４において、傾斜部９３が外側に向けて対称的に形成されている。したがって、ノズル９０は、吐出方向に対して丸みを有している。
【０１４５】
図２０に示すように、端面９１および凹凸部９２は、長手方向ＤＬに沿って直線状に配置されている。つまり、凹凸部９２は、開口外周部３４の長手方向ＤＬにおける一端から他端にわたって直線状に配置されている。
【０１４６】
ノズル９０は、被洗浄対象に対して凹凸部９２を接触させた場合、凹凸部９２の凸部が被洗浄対象に接触し、凹部が被洗浄対象に接触しない状態を生じる。したがって、ノズル９０は、被洗浄対象の表面に付着した汚れを直接的に掃き出して除去することができる。
【０１４７】
特に、被洗浄対象が舌である場合、凹凸部９２が舌の軟組織に沿って接触する部分と接触しない部分とを生じる。このため、ノズル９０は、舌の軟組織に付着した汚れを直接的に除去することできる。
【０１４８】
ノズル９０は、凹凸部９２の各凸部に形成された傾斜部９３を有することから、洗浄液ＷＬの吐出方向において、外側に丸い形状を有する。したがって、ノズル９０は、被洗浄対象に接触させた場合、被洗浄対象が感じる違和感を抑制することができる。また、ノズル９０は、直接的に除去した汚れを洗浄液ＷＬによって洗い流すことができる。
【０１４９】
第７実施形態の口腔洗浄装置１およびノズル９０は、第１実施形態の口腔洗浄装置１およびノズル３０が奏する効果（１）〜（７）に加えて、以下の作用および効果を奏する。
（１８）ノズル９０は、洗浄液ＷＬによる洗浄に加えて、被洗浄対象に対して凹凸部９２を直接接触させて汚れを掃き出すことができる。したがって、口腔洗浄装置１は、舌の汚れを直接的に除去することができる。したがって、口腔洗浄装置１は、被洗浄対象に対する洗浄性が向上する。また、ノズル９０は、被洗浄部分に残留した洗浄液ＷＬを外部へ掃きだすことができる。
【０１５０】
（その他の実施形態）
上記した各実施形態および以下に示すその他の実施形態は、技術的な矛盾が生じない範囲において相互に組み合わせて実施することができる。
【０１５１】
・第１実施形態の口腔洗浄装置１のノズル３０および注入管３１は、一体に樹脂成形されてもよい。ノズル３０および注入管３１が一体に樹脂成形されたとき、注入管３１は、ノズル３０と同様の剛性および強度を確保できる。このため、注入管３１は、ノズル３０が操作されるときの取っ手として機能する。
【０１５２】
つまり、注入管３１と一体に成形されたノズル３０は、操作者による操作を容易にして、操作性、利便性を向上させる。このため、ノズル３０は、操作性を向上することができる。
【０１５３】
・ノズル３０は、注入管３１に対して取り外しできる構造を有してもよい。例えば、互いに嵌め込みできる一対の雌雄ねじをノズル３０および注入管３１に形成することによって、注入管３１とノズル３０は、相互の分離、あるいは連結が容易に行われる。
【０１５４】
このため、注入管３１をそのまま繰り返し使用できる形態とし、ノズル３０のみを交換することができる。つまり、ノズル３０は、注入管３１を共通にし、被洗浄対象あるいは被洗浄部分に適した種々の形状を有することができる。
【０１５５】
・開口部３３の開口形状は、矩形状とされているが、長手方向ＤＬの両端に丸みを有してもよい。また、適用する被洗浄対象によっては、開口部３３の開口形状は、矩形ではなく、例えば細長い楕円であってもよい。
【０１５６】
・ノズル３０は、用途に応じた形状が適用され、被洗浄対象および被洗浄部分に適した洗浄液ＷＬの吐出状態が実現される。例えば、第１主面部３５および第２主面部３６の端部を曲面として側面部３７が存在しない外形形状とすることもできる。
【０１５７】
・第２実施形態の口腔洗浄装置１のノズル４０は、短手寸法ＳＳの配置を逆にすることも可能である。中央領域４１における短手寸法ＳＳを外側領域４２における短手寸法ＳＳより大きくしたとき、中央領域４１の圧力損失は小さくなり、外側領域４２の圧力損失は大きくなる。
【０１５８】
この変形例においては、中央領域４１での洗浄液ＷＬの吐出量が増加し、外側領域４２での洗浄液ＷＬの吐出量が抑制される。つまり、長手方向ＤＬでの洗浄液ＷＬの吐出パターンを変更して、異なる吐出パターンを発生させることができる。
【０１５９】
この変形例によれば、両側の外側領域４２では、被洗浄部分への吐出速度が速くなり、被洗浄部分に対する圧力が高くなる。したがって、外側領域４２では、強力な洗浄が施される。このため、外側領域４２で除去された汚れは、中央領域４１へ供給された洗浄液ＷＬが外側領域４２へ流れるときに合わせて洗い流され、効果的な洗浄が施される。
【０１６０】
・ノズル４０における開口部３３は、左右対称として例示されているが、左右非対称とすることも可能である。例えば、図５における正面視で、左から右へ、あるいは、右から左へ一方的に短手寸法ＳＳが変化する形状とすることも可能である。自由な吐出パターンを構成することができる。
【０１６１】
・第３実施形態のノズル５０において、寸法保持部５５は、内壁３７Ｗの短手方向ＤＳにおいて複数個配置されてもよい。これにより、寸法保持部５５の個数に応じた段階的な吐出寸法ＳＰの変更が可能となり、洗浄液ＷＬの吐出速度を段階的に変更できることから、吐出速度の調節を簡略化できる。
【０１６２】
・第６実施形態のノズル８０において、長手方向ＤＬにおける隔壁８１の厚さＴＤは、開口部３３において露出した先端が小さくされてもよい。開口部３３からの洗浄液ＷＬの吐出状態は、隔壁８１による途切れを抑制できる。このため、隔壁８１の厚さによる影響を回避できる。
【０１６３】
・第７実施形態のノズル９０の凹凸部９２が開口外周部３４の長手方向ＤＬにおいて一端から他端にわたって全体として示す形状は、長手方向ＤＬの両端に渡って形成された凹状でもよく、あるいは、長手方向ＤＬの両端に渡って形成された凸状でもよい。
【０１６４】
つまり、凹凸部９２の長手方向ＤＬにおける配置は、長手方向ＤＬの両端に渡る全体が、一つの凹形状を構成してもよく、また、一つの凸形状を構成してもよい。
ノズル９０は、長手方向ＤＬの両端に渡る全体形状を被洗浄対象の形状へ適合させることが可能となる。したがって、口腔洗浄装置１は、被洗浄対象への適合性を高めることができる。
【０１６５】
（課題を解決するための手段に関する付記）
課題を解決するための手段は、第３実施形態ないし第５実施形態に関連して次の付記１および付記２を含む。なお、付記１および付記２が有する事項は、実施形態において開示された事項と対応している。
【０１６６】
第３実施形態のノズル５０、第４実施形態のノズル６０、および第５実施形態のノズル７０は、いずれも吐出寸法ＳＰを変更する観点で共通している。したがって、課題を解決するための手段として以下の観点を含めることができる。
【０１６７】
以下では、ノズル５０、ノズル６０、およびノズル７０について単に付記ノズルと記載する。また、変更部５１、変更部６１、および変更部７１について単に付記変更部と記載する。操作部５２、および操作部７２について単に付記操作部と記載する。
【０１６８】
（付記１）
付記ノズルは、内壁３５Ｗを有する第１主面部３５と、内壁３５Ｗに対向する内壁３６Ｗを有する第２主面部３６と、内壁３５Ｗおよび内壁３６Ｗに対して交差する方向に内壁３７Ｗを有し第１主面部３５および第２主面部３６を連結する側面部３７とを有する。
【０１６９】
付記ノズルは、内壁３５Ｗおよび内壁３６Ｗに沿って配置され、短手方向ＤＳにおける移動によって吐出寸法ＳＰを変更する付記変更部を有する。
したがって、付記ノズルは、長手寸法ＳＬにわたって吐出寸法ＳＰを変更することができる。
【０１７０】
（付記２）
付記ノズルに対する追加の観点として次の事項を付記２として含めることができる。
付記ノズルは、第１主面部３５または第２主面部３６のいずれか一方に配置された付記操作部を有する。付記操作部は、付記変更部を動かす。
【０１７１】
したがって、付記ノズルは、第１主面部３５および第２主面部３６のいずれか一方に付記操作部が配置されることから、付記操作部に対する操作が容易となる。このため、付記ノズルは、容易に付記変更部の位置を変更し、吐出寸法ＳＰを容易に変更することができる。
【符号の説明】
【０１７２】
１…口腔洗浄装置
３０、４０、５０、６０、７０、８０、９０…ノズル
３３…開口部
３４…開口外周部
５１、６１、７１…変更部
５２、７２…操作部
８１…隔壁
９１…端面
９２…凹凸部
ＤＬ…長手方向
ＤＳ…短手方向
ＳＬ…長手寸法
ＳＳ…短手寸法
ＳＰ…吐出寸法
ＷＬ…洗浄液
【図１】
2015002857.tif 000003
【図２】
2015002857.tif 000004
【図３】
2015002857.tif 000005
【図４】
2015002857.tif 000006
【図５】
2015002857.tif 000007
【図６】
2015002857.tif 000008
【図７】
2015002857.tif 000009
【図８】
2015002857.tif 000010
【図９】
2015002857.tif 000011
【図１０】
2015002857.tif 000012
【図１１】
2015002857.tif 000013
【図１２】
2015002857.tif 000014
【図１３】
2015002857.tif 000015
【図１４】
2015002857.tif 000016
【図１５】
2015002857.tif 000017
【図１６】
2015002857.tif 000018
【図１７】
2015002857.tif 000019
【図１８】
2015002857.tif 000020
【図１９】
2015002857.tif 000021
【図２０】
2015002857.tif 000022
【図２１】
2015002857.tif 000023
【図２２】
2015002857.tif 000024